(57)【要約】【課題】簡単な構成で、且つ作業性に優れた、画像形成装置本体の回転のロック及び解除を行うことが可能な画像形成装置を提供する。【解決手段】開閉カバー４０の内面には、ロック用押圧部６０が、装置本体には、支持部６１に揺動可能に軸支され、前面側端部６２ａがロック用押圧部６０に押圧され、背面側端部６２ｄがロック用係合ピン６３を押圧するアーム６２が設けられている。また、ロック用係合ピン６３は、コイルバネ６５により上方に付勢され、回転台５１には、ロック用係合ピン６３と係合するロック用係合穴６６が設けられている。【選択図】図４
2008286959.tif 000002
【特許請求の範囲】
【請求項１】
装置本体の外装面の一部を構成する開閉カバーと、前記装置本体を回転可能に載置する回転台と、を備えた画像形成装置において、
前記回転台と前記装置本体との間に設けられ、前記装置本体の回転をロックする第１の位置と、前記装置本体の回転を許容する第２の位置とに選択配置されるロック手段と、
前記開閉カバー内面側に設けられ、前記開閉カバーを閉じた時、前記ロック手段を前記第１の位置に配置し、前記開閉カバーを開けた時、前記ロック手段を前記第２の位置に配置するロック用押圧手段と、
を備えたことを特徴とする画像形成装置。
【請求項２】
前記ロック手段が、前記本体下面部を貫通して突出可能な棒状部材と、前記回転台上面部に設けられた係合穴と、で構成されることを特徴とする請求項１に記載の画像形成装置。
【請求項３】
前記棒状部材を、前記ロックを解除する方向に付勢する付勢手段が設けられたことを特徴とする請求項２に記載の画像形成装置。
【請求項４】
前記ロック用押圧手段が下方から当接可能な第１の端部と、前記棒状部材に上方から当接可能な第２の端部とを有し、中央部が軸支されたロック用揺動部材が設けられ、
前記ロック用揺動部材は、
前記開閉カバーを閉じた時、前記第１の端部が前記ロック用押圧手段に下方から押圧されて、前記第２の端部が前記付勢手段からの付勢力に抗して前記棒状部材を前記係合穴に係合させ、前記開閉カバーを開けた時、前記ロック用押圧手段からの押圧が解除されて、前記付勢手段からの付勢力により前記棒状部材と前記係合穴との係合を解除することを特徴とする請求項３に記載の画像形成装置。
【発明の詳細な説明】
【技術分野】
【０００１】
本発明は、デジタル複写機、レーザプリンタ等の画像形成装置に関し、特に装置本体の外装面の一部に開閉可能なカバーを備えた画像形成装置に関するものである。
【背景技術】
【０００２】
従来の画像形成装置の構成を図９に示す。画像形成装置（例えばプリンタ）１００では、画像形成動作を行う場合、帯電ユニット４により図中時計回りに回転する感光体ドラム５が一様に帯電され、原稿画像データに基づく露光ユニット（レーザ走査ユニット等）７からのレーザビームにより感光体ドラム５上に静電潜像が形成され、現像ユニット８により静電潜像に現像剤（以下、トナーという）が付着されてトナー像が形成される。
【０００３】
この現像ユニット８へのトナーの供給はトナーコンテナ９から行われる。なお、画像データはパーソナルコンピュータ（図示せず）等から送信される。また、感光体ドラム５の表面の残留電荷を除去する除電装置（図示せず）がクリーニング装置１９の下流側に設けられている。
【０００４】
上記のようにトナー像が形成された感光体ドラム５に向けて、用紙が給紙カセット１０又は手差しトレイ１１から用紙搬送路１２及びレジストローラ対１３を経由して搬送され、転写ローラ１４（画像転写部）により感光体ドラム５の表面に形成されたトナー像が用紙に転写される。そして、トナー像が転写された用紙は感光体ドラム５から分離され、定着ローラ対１５ａを有する定着部１５に搬送されてトナー像が定着される。定着部１５を通過した用紙は、用紙搬送路１６により装置上部に搬送され、排出ローラ対１７より排出トレイ１８に排出される。
【０００５】
このような画像形成装置においては、例えばジャムが発生したときに用紙を除去する必要があり、またトナーカートリッジや現像カートリッジ、感光体ドラムユニット、帯電ユニット、或いはプロセスカートリッジ等の交換部品を交換したり、これらの清掃や保守点検等を行ったりする必要がある。そのため、装置の外装面の一部に開閉カバーが設けられている。
【０００６】
この開閉カバーの多くは、左又は右側面に設けられているため、開閉カバーを開閉し、交換部品の交換を行うためには、交換部品等を装置へ挿入するためのスペースが必要となる。また、作業者が交換作業や、清掃、保守点検等を行うための作業空間も必要となるため、画像形成装置の設置場所が制限されてしまう。更に、作業空間を確保できなければ、メンテナンス時には、画像形成装置を持ち上げたり、台車に乗せたりして、作業可能な場所へ移動しなければならなかった。
【０００７】
そこで、画像形成装置を回転させ、開閉カバーが設けられた側面を作業可能な場所に向ける技術が提案されている。例えば、特許文献１には、画像形成装置本体の底面に設けた複数の支持体を、本体を回転可能に載置させる台座に設けたガイド部に沿って移動させることによって、本体を壁等に衝突することなく回転させる技術、及び、支持体と台座の間に解除板を設け、解除板を移動させて当該板に支持体を乗せることによって本体を回転可能にする解除機構が開示されている。
【０００８】
また、特許文献２には、天板と下板とからなる載置台に画像形成装置を載置し、天板と下板との間に転動部材と、当該転動部材が移動する同心円状の案内溝とを設け、更に、案内溝の所定の位置に支持体を固定させる凹部を設けることによって、画像形成装置を回転させ、所定位置で固定する技術、及び、支持体を持ち上げて装置の固定状態を解除するための足踏みバーが開示されている。
【特許文献１】特開２０００−１１８０８３号公報
【特許文献２】特開２００４−１３８８４３号公報
【発明の開示】
【発明が解決しようとする課題】
【０００９】
しかし、特許文献１の技術では、画像形成装置本体を回転可能とするために、解除板を追加する必要がある。また、支持体を持ち上げて、解除板に載せるための力が必要となる。このため、装置の構成が複雑化し、作業も煩雑になるおそれがある。また、特許文献２の技術でも、支持体を固定する凹部から案内溝へ支持体を移動させるための力が必要となり、このために装置を持ち上げるための手段を用いると、装置が大型化及び複雑化するおそれがあり、作業も煩雑になるおそれがある。
【００１０】
本発明は、上記問題点に鑑み、簡単な構成で、且つ作業性に優れた、画像形成装置本体の回転のロック及び解除を行うことが可能な画像形成装置を提供することを目的とする。
【課題を解決するための手段】
【００１１】
上記目的を達成するために本発明は、装置本体の外装面の一部を構成する開閉カバーと、前記装置本体を回転可能に載置する回転台と、を備えた画像形成装置において、前記回転台と前記装置本体との間に設けられ、前記装置本体の回転をロックする第１の位置と、前記装置本体の回転を許容する第２の位置とに選択配置されるロック手段と、前記開閉カバー内面側に設けられ、前記開閉カバーを閉じた時、前記ロック手段を前記第１の位置に配置し、前記開閉カバーを開けた時、前記ロック手段を前記第２の位置に配置するロック用押圧手段と、を備えたことを特徴としている。
【００１２】
また本発明は、前記ロック手段が、前記本体下面部を貫通して突出可能な棒状部材と、前記回転台上面部に設けられた係合穴とで構成されることを特徴としている。
【００１３】
また本発明は、前記棒状部材を、前記ロックを解除する方向に付勢する付勢手段が設けられたことを特徴としている。
【００１４】
また本発明は、前記ロック用押圧手段が下方から当接可能な第１の端部と、前記棒状部材に上方から当接可能な第２の端部とを有し、中央部が軸支されたロック用揺動部材が設けられ、前記ロック用揺動部材は、前記開閉カバーを閉じた時、前記第１の端部が前記ロック用押圧手段に下方から押圧されて、前記第２の端部が前記付勢手段からの付勢力に抗して前記棒状部材を前記係合穴に係合させ、前記開閉カバーを開けた時、前記ロック用押圧手段からの押圧が解除されて、前記付勢手段からの付勢力により前記棒状部材と係合穴との係合を解除することを特徴としている。
【発明の効果】
【００１５】
本発明の第１の構成によれば、装置本体の回転をロックする第１の位置と、前記装置本体の回転を許容する第２の位置とに選択配置されるロック手段と、開閉カバーの内面側にロック用押圧手段とを設け、開閉カバーを閉めると、ロック用押圧手段が直接、ロック手段を第１の位置に配置し、装置本体の回転をロックすることができる。一方、開閉カバーを開けると、ロック用押圧手段が離間することにより、ロック手段を上記第２の位置に配置し、回転ロックを解除することができる。
【００１６】
従って、通常は装置本体が不必要に回転せず、作業中のみ装置本体が回転可能となるため、簡単な構成で、且つ作業性に優れた、画像形成装置本体の回転のロック及び回転ロック解除を行うことが可能となる。
【００１７】
また、本発明の第２の構成によれば、上記第１の構成の画像形成装置において、ロック手段として、本体下面部を貫通して突出可能な棒状部材と、前記回転台上面部に設けられた係合穴とを用いることによって、部材点数の増加を抑制すると共に、複雑な機構等を用いる必要性を回避することができる。従って、より簡単な構成で、上記回転ロック及び回転ロック解除を行うことができる。また、作業性もより向上する。
【００１８】
また、本発明の第３の構成によれば、上記第２の構成の画像形成装置において、上記棒状部材を、回転ロックを解除する方向に付勢することによって、より確実に、上記回転ロックの解除を行うことが可能となる。従って、誤作動等により、装置本体や周辺部材等を破損したりするおそれを、より回避することが可能となる。
【００１９】
また、本発明の第４の構成によれば、上記第３の構成の画像形成装置において、ロック用押圧手段からの押圧により揺動し、上記棒状部材を押圧可能なロック用揺動部材を設け、開閉カバーを閉めると、ロック用押圧手段がロック用揺動部材の第１の端部に下方から当接し、これを押圧することによりロック用揺動部材が揺動し、第２の端部が上記棒状部材を上方から押圧する。その結果、上記棒状部材は、上記係合穴と係合し、装置本体の回転をロックすることができる。
【００２０】
一方、開閉カバーを開けると、ロック用押圧手段が離間することにより、ロック用押圧手段からロック用揺動部材への押圧が解除され、上記棒状部材への押圧を解除する方向にロック用揺動部材が揺動する。その結果、上記棒状部材と係合穴との係合が解除され、装置本体の回転ロックを解除し、装置本体の回転を可能とすることができる。すなわち、開閉カバーを開閉するだけで、ロック用押圧手段が、間接的にロック手段を上記第１の位置と第２の位置に配置し、回転ロック及び回転ロック解除を行うことが可能となる。
【００２１】
よって、ロック用押圧手段とロック手段とを直接接触させることなく、離れた位置に配設することができ、装置本体の構成の自由度を増加させることができる。従って、より装置構成の複雑化を回避し、簡単な構成で、上記回転ロック及び回転ロック解除を行うことが可能となり、作業性も向上する。また、例えば、上記支軸を、上記揺動部材の長手方向に対し、上記第１の端部側に配設すれば、上記第１の端部の移動量が小さくても、上記第２の端部及びロック手段の移動量を大きくすることができ、より容易に、より確実に、上記回転ロック及び回転ロック解除を行うことが可能となる。
【発明を実施するための最良の形態】
【００２２】
以下に本発明の実施形態を、図面を参照して説明する。図１は、本発明の画像形成装置の外観斜視図である。従来例の図９と共通する部分には同一の符号を付して説明を省略する。プリンタ１００の外装は、装置前面に配置されるカセットカバー３５、手差しトレイカバー３６、装置側面に配置される左側面カバー３７ａ、右側面カバー３７ｂ、装置上面に配置される上面カバー３８ａ、３８ｂ、図示しない背面カバー、底面部５０で構成されている。また、装置下側には装置を回転可能に軸支する回転台５１が配設されている。
【００２３】
カセットカバー３５は給紙カセット１０（図９参照）に装着されており、その表面側が外部に露出して画像形成装置１００本体の外装面の一部（ここでは装置前面）を構成する。手差しトレイカバー３６は手差しトレイ１１（図９参照）の外側に装着され、下端部を支点として上下に開閉可能となっており、下方向に回動させて開放した状態では手差しトレイ１１が使用可能となり、上方向に回動させて閉鎖した状態（図１の状態）ではカセットカバー３５と共に装置前面の外装面を構成している。
【００２４】
上面カバー３８ａには排出トレイ１８が形成されており、上面カバー３８ｂの右端には操作ボタンや表示パネル等が搭載された操作部３９が配置されている。左側面カバー３７ａには開閉カバー４０が設けられている。
【００２５】
図２及び図３は、左側面カバー３７ａの斜視図であり、図２は開閉カバー４０を閉じた状態、図３は開閉カバー４０を開けた状態を示している。また、開閉カバー４０は、上側の回動支点４１（第１の回動支点）と下側の回動支点４２（第２の回動支点）により左側面カバー３７ａに支持されており、回動支点４１及び４２を結ぶ回動軸４３を中心として水平方向に開閉可能となっている。
【００２６】
また、左側面カバー３７ａの略中央部には開口部４４が形成されている。図２のように開閉カバー４０を閉じた状態では開口部４４は開閉カバー４０に覆われており、図３のように開閉カバー４０を開放し、開口部４４を介して装置内部の部品交換等のメンテナンスを行う。開口部４４の近傍には吸気口４５が形成され、開閉カバー４０の吸気口４５と重なる位置には吸気スリット４６が設けられており、図示しない冷却ファンにより吸気スリット４６及び吸気口４５を介して装置内部に外気が送り込まれる。
【００２７】
開閉カバー４０の回動側端部には裏面側に突出して左側面カバー３７ａの係合部４８に係合する係合用突起４７が設けられており、開閉カバー４０の表面側に設けられた開閉用ツマミ４９を操作することにより、係合用突起４７と係合部４８との係合が外れて開閉カバー４０の開閉ロックが解除される仕組みになっている。
【００２８】
そして、開閉カバー４０の回動側端部下面側には、後述する画像形成装置１００本体の回転をロックするためのアーム６２を介してロック用係合ピン６３を押圧する、ロック用押圧部６０（ロック用押圧手段）が設けられている。ロック用押圧部６０は開閉カバー４０から装置本体内部に向かって突出した細長く平坦な直方体であり、先端は、面取りされ、開閉カバー４０を閉めたときに、後述するアーム６２の装置本体前面側端部６３ａ（図４参照）に下方から当接し、上面でアーム６２を支持する。
【００２９】
なお、ここでは、ロック用押圧部６０は、開閉カバーと一体成型としたが、ロック用押圧部６０を別部材として開閉カバー４０に取り付けることもできる。また、ロック用押圧部６０の形状も、本実施形態で用いた直方体に限られず、その他の棒状とすることもでき、特に限定されない。
【００３０】
図４は開閉カバー周辺を内部から見た概略斜視図であり、図５は、ロック用押圧部、ロック用揺動部材及びロック用係合ピン付近の部分拡大図（図５の円Ｓ１内）である。また、図６は、開閉カバーを閉じたときに回転がロックされた状態を示す、ロック用押圧部、ロック用揺動部材及びロック用係合ピン付近の右側面部分拡大図であり、図７は、開閉カバーを開けたときに回転のロックが解除された状態を示す、ロック用押圧部、ロック用揺動部材及びロック用係合ピン付近の右側面部分拡大図である。
【００３１】
図４及び図５に示すように、装置本体下面部の左側面側且つ背面側寄りに、ロック用係合ピン６３（ロック手段）が設けられている。ロック用係合ピン６３は、棒状部材からなり、上方側端部６３ａは、アーム６２（ロック用揺動部材）の背面側端部６２ｄと係合するよう、開口部が上向きである、断面コの字状に切り欠かれている。また、上方側端部６３ａの装置本体左右両側面側に突起部６３ｂが２つ設けられている。ロック用係合ピン６３の下方側端部は装置底面部５０に形成された貫通穴６４を通過し、画像形成装置１００の下方に突出することができる。
【００３２】
図６及び図７に示すように、回転台５１には、ロック用係合ピン６３と係合可能な位置に、ロック用係合穴６６（ロック手段）が設けられている。ロック用係合ピン６３がロック用係合穴６６と係合すると装置本体の回転はロックされ、上記係合が解除されると、上記回転のロックは解除される。
【００３３】
ロック用係合ピン６３には、コイルバネ６５（付勢手段）が摺動自在に外挿されている。コイルバネ６５の上端はロック用係合ピン６３の突起部６３ｂに係止され、下端は回転台５１の上面に圧接している。これによって、コイルバネ６５は、ロック用係合ピン６３に鉛直上方向の付勢力を付与している。
【００３４】
従って、ロック用係合ピン６３は、図６に示すように、後述するアーム６２の背面側端部６２ｄによって下方に押圧されると、コイルバネ６５の付勢力に抗して下方（矢印方向）に移動し（第１の位置）、ロック用係合穴６６に係合する。一方、図７に示すように、アーム６２からの押圧が無い場合には、ロック用係合穴６６から離間して上方（矢印方向）に移動し（第２の位置）、係合が解除されている。
【００３５】
なお、ここでは、ロック用係合ピン６２及びロック用係合穴６３の位置を装置本体の左側面側且つ背面側寄りに配設することによって、これら部材と開閉カバー４０との距離が近くなり、回転ロック及び解除を容易に行うことができ、上記部材がメンテナンス時の障害となる、或いは装置構成上の自由度を制限すること等を回避できる。しかし、例えば、装置左側面側中央部に設置することもでき、特に限定されるものではない。
【００３６】
また、ここではロック用係合ピン６３及びロック用係合穴６６を用い、ロック用係合ピン６３を、貫通穴６４を通過させてロック用係合穴６６と係合及び係合解除することによって、部材点数の増加を抑制することができると共に、複雑な機構を用いる必要を回避することができる。従って、更に簡単な構成で、上記回転ロック及びロック解除を行うことが可能となり、作業性も更に向上する。
【００３７】
しかし、例えば、回転台５１の上面に係合穴を有する別部材を設けたり、また例えば、ロック用係合ピン６３の下方先端に係合穴を設け、回転台５１上面に係合突起を設けたり、その他の手段を用いることもでき、特に限定されない。
【００３８】
また、ここでは、コイルバネ６５を１本としたが、例えばコイルバネを２本以上用いることもできる。更に、突起部６３ｂと装置本体底面部５０とにコイルバネ６５を係止させ、上記付勢をすることもでき、これらの構成は、特に限定されない。
【００３９】
図４及び図５に示すように、装置本体の底面部５０の、開閉カバー４０側中央部には、支持部６１が立設され、支持部６１の先端部には、開口部が上向きである、断面コの字状の切り欠き部が形成されている。また、かかる切り欠き部には、支軸６１ａが設けられ、アーム６２が揺動可能に軸支されている。
【００４０】
アーム６２は、長手方向に対し、中央部が角柱状部材からなり、当該部材部分において、アーム６２の長手方向に対し前面側端部６２ａ寄り部分は断面円形に形成され、この断面円形部の中心部に、図示しない軸穴が設けられている。かかる軸穴に、支軸６１ａが貫通している。また、長手方向に対し、前面側端部６２ａ（第１の端部）は、開閉カバー４０に向かって突出するフランジ部を形成し、前面側端部６２ａの底面は、右側面側の平坦部６２ｂと、平坦部６２ｂから開閉カバー４０に向かって断面高さが小さくなるよう上方に傾斜された、傾斜部６２ｃとから形成されている。
【００４１】
前面側端部６２ａは、図６に示すように、開閉カバーを閉じた状態で、平坦部６２ｂがロック用押圧部６０の先端部上面で接触支持される位置に配設されている。また、前面側端部６２ａは、前述したロック用係合ピン６３からの付勢により下方に付勢されており、開閉カバーを開けた状態では、図７に示すように、平坦部６２ｂがロック用押圧部６０より下方であり、且つ傾斜部６２ｃがロック用押圧部６０と接触可能な高さに配設されている。そして、開閉カバー４０を閉めると、図６に示すように、ロック用押圧部６０は傾斜部６２ｃに当接し、これを押し上げながら装置内側へ移動し、その結果、平坦部６２ｂがロック用押圧部６０によって下方から支持され、且つ上方に押圧される。
【００４２】
アーム６２の、長手方向に対し、背面側端部６２ｄ（第２の端部）は、側面断面が六角形であり、上記アーム６２の中央部より断面が大きく形成されている。背面側端部６２ｄは、ロック用係合ピン６３の上方端部６３ａに係合し、ロック用係合ピン６３と共に移動可能であり、且つ、ロック用係合ピン６３からの押し上げ力を受けて、上方に付勢されている。これにより、前述のように、アーム６２の前面側端部６２ａは、下方に付勢される。
【００４３】
次に、開閉カバー４０を開閉することによって、画像形成装置１００の回転がロック及び解除される動作について、図３、図４及び図５を参照しながら、図６、図７、及び図８を用いて説明する。図８は、回転ロックが解除されて画像形成装置が回転する状態を示す概略斜視図である。
【００４４】
まず、図３の状態から、開閉カバー４０を閉めると、ロック用押圧部６０の先端部が、アーム６２の前面側端部６２ａの傾斜部６２ｃと接触し、これを押し上げながら内側へ移動する。そして、ロック用押圧部６０の先端部上面が平坦部６２ｂと当接し、ロック用押圧部６０は前面側端部６２ａを下方から支持し、これを押圧する（図４、図５参照）。前面側端部６２ａが押し上げられると、アーム６２は、支軸６１ａを中心に開閉カバー４０方向に見て時計回りに揺動する。すると、アーム６２の背面側端部６２ｄがロック用係合ピン６３を下方に押圧し、押し下げられたロック用係合ピン６３は、コイルバネ６５の付勢に抗して装置本体の下方に移動し、回転台５１に設けられたロック用係合穴６６と係合する。
【００４５】
その結果、図６に示すように、装置本体は回転がロックされ、通常の使用時には、装置本体が回転方向に揺動することなく、安定して画像形成を行うことができる。
【００４６】
ここで、メンテナンス等を行うため、画像形成装置１００を回転することとする。この場合、開閉カバー４０を開けると、ロック用押圧部６０は、アーム６２から離間する。ロック用押圧部６０による支持及び押圧を解除されたアーム６２は、上述したロック用係合ピン６３から背面側端部６２ｄに与えられる付勢力により、支軸６１ａを中心に反時計回りに揺動する。すなわち、前面側端部６２ａは下方に移動し、背面側端部６２ｄは上方に移動する。アーム６２の背面側端部６２ｄからの押圧が解除されたロック用係合ピン６３は、コイルバネ６５から突起部６３ｂに加わる上方向への付勢力により、上方に移動する。
【００４７】
その結果、図７に示すように、ロック用係合ピン６３は、ロック用係合穴６６から離間し、これらの係合が解除され、装置本体の回転ロックが解除される。そして、図８に示すように、当該装置を回転させて開閉カバーを所望の方面に向けることにより、作業者は、十分な作業空間のもと、メンテナンス等が可能となる。
【００４８】
一方、メンテナンス等が終了した後、装置本体を回転させて上記通常の使用時における所定の位置（元の位置）に戻した後、開閉カバー４０を閉めることによって、画像形成装置１００の回転がロックされる動作は、上述した通りである。
【００４９】
また、開閉カバー４０を閉めた後、装置本体を回転させて上記元の位置に戻すこともできる。この場合、上記の通り、開閉カバー４０を閉めると、ロック用係合ピン６３が下方に押圧され、ロック用係合ピン６３の下方側端部が下方に移動し、回転台５１の上面と接触する。この状態で、装置本体を回転させると、ロック用係合ピン６３は、下方に押圧されているため、回転台５１の上面を、円軌道を描きながら摺動する。ロック用係合穴６６の位置まで到達すると、ロック用係合穴６６に押し込まれ、これと係合する。その結果、装置本体の回転はロックされる。
【００５０】
このように、装置本体に、ロック用係合ピン６３を、回転台５１にロック用係合穴６６を、開閉カバー４０の内面部にはロック用押圧部６０を設け、開閉カバー４０を閉じることによって、ロック用押圧部６０の押圧によりロック用係合ピン６３を押し下げ、ロック用係合穴６６と係合させて、画像形成装置１００の回転をロックすることができる。一方、開閉カバー４０を開けると、上記ロック用押圧部６０からの押圧が解除され、ロック用係合ピン６３が上方に移動し、ロック用係合穴６６との係合が解除されて、上記回転ロックを解除することができる。
【００５１】
よって、開閉カバーを開閉するという簡単な構成で、装置本体の回転のロック及び解除を行うことができる。従って、本発明の構成とすることにより、簡単な構成で、且つ作業性に優れた、画像形成装置１００本体の回転のロック及び解除を行うことが可能となる。
【００５２】
また、本実施形態では、コイルバネ６５を用いて、ロック用係合ピン６３を、上方向、すなわち、上記係合及び回転ロックを解除する方向に付勢することによって、より確実に、上記回転ロック解除を行うことができる。従って、誤作動等により、装置本体や周辺部材等を破損したりするおそれを、より回避することが可能となる。しかし、付勢手段としては、その他、例えば、つるまきバネ等を用い、上方から突起部６３ｂを引っ張ることもでき、特に限定されない。
【００５３】
また、本実施形態では、支持軸６１ａを支軸として揺動し、前面側端部６２ａがロック用押圧部６０に押圧され、背面側端部６２ｄがロック用係合ピン６３を押圧するアーム６２を設けることによって、開閉カバー４０を閉じると、ロック用押圧部６０が前面側端部６２ａを押し上げ、アーム６２が揺動し、背面側端部６２ｄがコイルバネ６５からの付勢力に抗してロック用係合ピン６３を押し下げ、ロック用係合穴６６と係合させることができ、一方、開閉カバーを開けることによって、上記ロック用押圧部６０による押圧を解除された前面側端部６２ａが下方に移動すると共に、背面側端部６２ｄの押圧が解除され、コイルバネ６５の付勢力によりロック用係合ピン６３が上方へ移動し、上記係合を解除することができる。
【００５４】
かかる構成により、ロック用押圧部６０とロック用係合ピン６３とを直接係合させることなく、両者を離れた位置に配設することができ、装置本体の構成の自由度を増加させることができる。従って、より装置構成の複雑化を回避し、簡単な構成で、上記回転ロック及び回転ロック解除を行うことが可能となり、作業性も向上する。
【００５５】
また、本実施形態では、支軸６１ａを、アーム６２の長手方向に対し、ロック用押圧部６０側に配設したため、前面側端部６２ａの移動量が小さくても、背面側端部６２ｄ及びロック用係合ピン６３の移動量を大きくすることができる。従って、より容易に、より確実に、上記回転ロック及び解除を行うことが可能となり、作業性もより向上する。
【００５６】
アーム６２の形状は、本実施形態に特に限定されず、例えば、前面側端部６２ａの底面部を平坦にする構成とすることもできる。かかる構成として、例えば、ロック用押圧部６０の先端部上面部に、画像形成装置１００本体内部に向けて断面が小さくなるよう下方に傾斜を設け、開閉カバー４０を閉じると、上記傾斜に沿って、アーム６２の前面側端部６２ａの底面部が押し上げられる構成等が挙げられる。
【００５７】
尚、本実施形態では、アーム６２を用いることによって、このような作用効果を得ることができるが、本発明では、ロック用押圧部６０をロック用係合ピン６３と直接係合させ、ロック用係合穴６６との係合及び当該係合を解除させることもできる。かかる構成として、例えば、ロック用押圧部６０をロック用係合ピン６３の上方側端部６３ａと当接するよう配設し、上方側端部６３ａにロック用押圧部６０の移動方向に開放する断面コの字状の切り込み部を設け、当該切り込み部の底部において、装置右側面側を平坦に形成し、当該平坦部から装置左側面側に向かって下方に傾斜する構成等が挙げられる。
【００５８】
その他本発明は、上記実施形態に限定されず、本発明の趣旨を逸脱しない範囲で種々の変更が可能である。例えば、上記実施形態では、アーム６２の背面側端部６２ｄを上方向に付勢する構成としたが、前面側端部６２ａを下方に付勢する構成とすることもできる。この場合、例えば、背面側端部６２ｄとロック用係合ピン６３の上方側端部６３ａとを軸等で連結しておき、つるまきバネ等を用い、アーム６２の前面側端部６２ａと装置本体の内側下面部とを係止する構成等が挙げられる。
【００５９】
また、本発明はプリンタに限らず、アナログ及びデジタル方式のモノクロ複写機、カラー複写機やファクシミリ等の、種々の画像形成装置に適用することができる。また、例えば、上記実施形態では、開閉カバー４０を左側面カバー３７ａに設け、これに応じて上記構成としたが、開閉カバー４０は右側面カバー３７ｂに設けても良いし、装置前面或いは背面に設け、これらに応じた構成としても良い。尚、ロック用押圧部６０を前面カバーに設けた場合には、例えば、装置背面に設けられた配線等の部材のメンテナンスを行うために装置を回転させる場合に有用である。
【産業上の利用可能性】
【００６０】
本発明は、装置本体の外装面の一部を構成する開閉カバーと、前記装置本体を回転可能に載置する回転台と、を備えた画像形成装置において、前記回転台と前記装置本体との間に設けられ、前記装置本体の回転をロックする第１の位置と、前記装置本体の回転を許容する第２の位置とに選択配置されるロック手段と、前記開閉カバー内面側に設けられ、前記開閉カバーを閉じた時、前記ロック手段を前記第１の位置に配置し、前記開閉カバーを開けた時、前記ロック手段を前記第２の位置に配置するロック用押圧手段と、を備えたものである。
【００６１】
これにより、開閉カバーを閉めると、画像形成装置本体の回転のロックが可能となり、開けると、ロックが解除され、回転可能となる。従って、簡単な構成で、且つ作業性に優れた、画像形成装置本体の回転のロック及び回転ロック解除を行うことが可能となる。
【００６２】
また、ロック手段として装置本体下面部を貫通して突出可能な棒状部材と回転台上面部に設けられた係合穴とを用いることによって、複雑な機構とすることをより回避できる。更に、上記棒状部材を、上記ロックを解除する方向に付勢することによって、より確実に、上記回転ロック及び解除を行うことが可能となる。そして、揺動部材を用い、その一端を上記ロック用押圧部で押圧及び押圧解除することによって、他端で上記棒状部材を上記係合穴と係合及び係合解除させれば、上記回転ロック及び解除を、より装置構成の複雑化を回避し、簡単な構成で行うことが可能となり、作業性も向上する。
【図面の簡単な説明】
【００６３】
【図１】は、本発明の画像形成装置の外観斜視図である。
【図２】は、開閉カバーを閉じた状態を示す左側面カバーの斜視図である。
【図３】は、開閉カバーを開けた状態を示す左側面カバーの斜視図である。
【図４】は、開閉カバー周辺を内部から見た概略斜視図である。
【図５】は、ロック用押圧部、ロック用揺動部材及びロック用係合ピン付近の部分拡大図（図４の円Ｓ１内）である。
【図６】は、開閉カバーを閉じたときに回転がロックされた状態を示す、ロック用押圧部、ロック用揺動部材及びロック用係合ピン付近の右側面部分拡大図である。
【図７】は、開閉カバーを開けたときに回転のロックが解除された状態を示す、ロック用押圧部、ロック用揺動部材及びロック用係合ピン付近の右側面部分拡大図である。
【図８】は、回転ロックが解除されて画像形成装置が回転する状態を示す概略斜視図である。
【図９】は、従来の画像形成装置の全体構成を示す概略断面図である。
【符号の説明】
【００６４】
３５              カセットカバー
３６              手差しトレイカバー
３７ａ            左側面カバー
３７ｂ            右側面カバー
３８ａ            上面カバー
３８ｂ            上面カバー
４０              開閉カバー
４７              係合用突起
４８              係合部
５０              底面部
５１              回転台
６０              ロック用押圧部（ロック用押圧手段）
６１              支持部
６２              アーム（ロック用揺動部材）
６２ａ            前面側端部
６２ｂ            平坦部
６２ｃ            傾斜部
６２ｄ            背面側端部
６３              ロック用係合ピン（ロック手段）
６３ａ            上方側端部
６３ｂ            突起部
６４              貫通穴
６５              コイルバネ（付勢手段）
６６              ロック用係合穴（ロック手段）
１００            プリンタ
【図１】
2008286959.tif 000003
【図２】
2008286959.tif 000004
【図３】
2008286959.tif 000005
【図４】
2008286959.tif 000006
【図５】
2008286959.tif 000007
【図６】
2008286959.tif 000008
【図７】
2008286959.tif 000009
【図８】
2008286959.tif 000010
【図９】
2008286959.tif 000011